(57)【要約】【課題】  廉価にかつ確実に利用者が望む警戒モード遷移を実現できるホームセキュリティシステムを提供する。【解決手段】家宅内への侵入を検知する異常検出センサと、該異常検出センサからの異常信号を受けて警報及び／又は通報を行なう制御手段とを備え、異常検出センサからの検出機能を有効とする警戒モード又は前記検出機能を無効とする警戒解除モードの設定を指示するモード設定手段と、家宅内の出入口の状態を監視する状態監視センサとが設けられ、前記制御手段は、モード設定手段からの警戒モード指示状態で、前記状態監視センサから入力される出入口の状態が所定の変化をしたときにシステム全体を警戒モードに設定する。例えば、出入口のドアに設置された施錠装置の施錠状態を監視する施錠センサを状態監視センサとするとき、該施錠センサから出力された施錠・開錠の状態が予め設定された条件に従って変化するとき、システム全体を警戒モードに設定する。【選択図】  図２
2008065746.tif 000002
【特許請求の範囲】
【請求項１】
家宅内への侵入を検知する異常検出センサと、該異常検出センサからの異常信号を受けて警報及び／又は通報を行なう制御手段とを備えたホームセキュリティシステムにおいて、
異常検出センサからの検出機能を有効とする警戒モード又は前記検出機能を無効とする警戒解除モードの設定を指示するモード設定手段と、家宅内の出入口の状態を監視する状態監視センサとが設けられ、前記制御手段は、モード設定手段からの警戒モード指示状態で、前記状態監視センサから入力される出入口の状態が所定の変化をしたときにシステム全体を警戒モードに設定することを特徴とするホームセキュリティシステム。
【請求項２】
前記状態監視センサは、出入口のドアに設置された施錠装置の施錠状態を監視する施錠センサであり、該施錠センサから出力された施錠・開錠の状態が予め設定された条件に従って変化するとき、システム全体を警戒モードに設定することを特徴とする請求項１に記載のホームセキュリティシステム。
【請求項３】
警戒モードで前記施錠装置が施錠状態から開錠状態に変化したとき、所定時間だけ警戒解除モードに遷移し、所定時間経過後に警戒モードに復帰することを特徴とする請求項２に記載のホームセキュリティシステム。
【請求項４】
前記状態監視センサは、出入口のドアの開閉状態を検知する開閉センサであり、該開閉センサから出力された開閉パターンが予め設定された条件に従うとき、システム全体を警戒モードに設定することを特徴とする請求項１に記載のホームセキュリティシステム。
【請求項５】
出入口のドアに取り付けられ主なる施錠機能を有する第1の施錠装置と、宅内からのみ施錠・開錠が可能な第2の施錠装置とを備え、第1施錠装置および第2の施錠装置の夫々の施錠・開錠状態を検知する施錠センサが設けられ、制御手段は、第1の施錠装置が開錠状態から施錠状態に変化し、第2の施錠装置が開錠状態である信号を施錠センサから受けたとき、システムを警戒モードに遷移することを特徴とする請求項１に記載のホームセキュリティシステム。
【請求項６】
制御手段は、少なくとも第2の施錠装置が開錠状態から施錠状態に変化した信号を施錠センサから受けたとき、システムを警戒解除モードに遷移させることを特徴とする請求項５に記載のホームセキュリティシステム。
【請求項７】
第２の施錠装置がチェーンロックであることを特徴とする請求項５又は６に記載のホームセキュリティシステム。
【請求項８】
前記第１の施錠装置と第２の施錠装置とは、２連式の施錠装置であることを特徴とする請求項５又は６に記載のホームセキュリティシステム。
【請求項９】
前記状態監視センサは、出入口のドアの開閉状態を検知する開閉センサであり、前記開閉センサが2つ以上の出入口に設置され、該開閉センサによる前記ドアの開閉状態変化パターンにより、システムの警戒モードが変化することを特徴とする請求項１に記載のホームセキュリティシステム。
【発明の詳細な説明】
【技術分野】
【０００１】
本発明は、ドアの施錠状態やドアの開閉状態の通知機能を応用したホームセキュリティシステムに関するものである。
【背景技術】
【０００２】
ホームセキュリティシステムでは、家族が在宅中か否か、あるいは在宅中であっても就寝中であるか否か等により、警戒する領域や手段が異なっており、一般に、警戒モードと警戒解除モードを切替える機能を有している。
【０００３】
一般的に、警戒モードへの切替は、宅内で利用者がホームコントローラのモードボタンを「警戒解除」から「警戒」に切り替えることで行われている。この方法では、利用者がシステムを警戒モードにセットしてから実際に警戒モードに遷移するまでに、ある程度の遅延時間を設け、人感センサ等の異常検知センサが検知した動体が利用者であるか、侵入者であるかを識別するような工夫が行なわれている。
【０００４】
また、特許文献１には、利用者が個別の信号を送信する携帯機を持ち、携帯機からの信号の移動に基づいてシステムを警戒モードを変更するような方法も開示されている。
【特許文献１】特許第３７１２００２号公報
【発明の開示】
【発明が解決しようとする課題】
【０００５】
しかしながら、警戒モードへの遷移に遅延時間を設ける方法では、警戒モードにセットしてから家を出るまでの時間設定が一定であるため、利用者に時間内に家を出ることを強いることになり、利便性の点で問題があった。
【０００６】
また、後者の利用者の移動を検知することにより警戒モードに遷移する方法では、設備が比較的複雑、高価になるという欠点を有していた。また、識別信号を送信する携帯機を利用者が置き忘れたりしたときには、正常な警戒モードに遷移せず、利便性も損ねることになるといった問題点があった。
【０００７】
本発明は、上記に鑑み、廉価でかつ確実に利用者が望む警戒モードへ遷移することができるホームセキュリティシステムの提供を目的としている。
【課題を解決するための手段】
【０００８】
上記目的を達成するため、本発明に係るホームセキュリティシステムは、ネットワークを介して施錠状態を通知可能な施錠センサや、ネットワークを介してドアの開閉状態を検知可能な開閉センサからの信号を利用して、警戒モードへの遷移を実現するものである。
【０００９】
すなわち、本発明は、家宅内への侵入を検知する異常検出センサと、該異常検出センサからの異常信号を受けて警報及び／又は通報を行なう制御手段とを備えたホームセキュリティシステムにおいて、異常検出センサからの検出機能を有効とする警戒モード又は前記検出機能を無効とする警戒解除モードの設定を指示するモード設定手段と、家宅内の出入口の状態を監視する状態監視センサとが設けられ、前記制御手段は、モード設定手段からの警戒モード指示状態で、前記状態監視センサから入力される出入口の状態が所定の変化をしたときにシステム全体を警戒モードに設定することを特徴とする。
【００１０】
上記構成によると、モード設定手段からの警戒モード指示状態で、状態監視センサから入力される出入口の状態が所定の変化をしたときにシステム全体を警戒モードに設定するので、従来のように遅延時間を設ける必要がなく、また、携帯機を用いる場合に比べて安価であり、利用者の利便性を高めることができる。
【００１１】
この場合の状態監視センサは、門扉、、勝手口、玄関等のドアに設置された施錠装置の状態を監視する施錠センサや、ドア（門扉を含む）の開閉を検知する開閉センサ等が例示できる。
【００１２】
状態監視センサを施錠センサとした場合、施錠センサから出力された施錠・開錠状態が予め設定された条件に従って変化するとき、システム全体を警戒モードに設定することができる。これにより、例えば、利用者の外出時に警戒モード遷移への遅延を行なうことなく、高確率で利用者の意図通り、システムを警戒モードに遷移させることができる。
【００１３】
また、警戒モードで、施錠装置が施錠状態から開錠状態に変化したとき、所定時間だけ警戒解除モードに遷移し、所定時間経過後に警戒モードに復帰するように設定することができる。これにより、帰宅時においても、正確にかつ安全に警戒モード解除を行なうことができる。
【００１４】
さらに、状態監視センサが開閉センサである場合、開閉センサから出力された開閉状態が予め設定された条件に従うとき、システム全体を警戒モードに設定することができる。これにより、開閉センサは予め家人が取り決めた条件、順番、時間、およびシーケンスに従って開閉を繰り返したとき、システムを警戒モードに遷移させることができる。
【００１５】
また、出入口のドアに取り付けられ主なる施錠機能を有する第1の施錠装置と、宅内からのみ施錠・開錠が可能な第2の施錠装置とを備え、第1施錠装置および第2の施錠装置の夫々の施錠・開錠状態を通知する施錠センサが設けられ、制御手段は、第1の施錠装置が開錠状態から施錠状態に変化し、第2の施錠装置が開錠状態である信号を施錠センサから受けたとき、システムを警戒モードに遷移することを特徴とする。
【００１６】
また、制御手段は、少なくとも第2の施錠装置が開錠状態から施錠状態に変化した信号を施錠センサから受けたとき、システムを警戒解除モードに遷移させることができる。例えば、第２の施錠装置がチェーンロックであるとき、チェーンロックは宅内からのみ施錠することができるので、在宅であることが明らかであり、このような場合、警戒解除モードとする。
【００１７】
なお、第１の施錠装置と第２の施錠装置とは２連式の施錠装置としてもよい。さらに、状態監視センサを、出入口のドアの開閉状態を検知する開閉センサとし、開閉センサを2つ以上の出入口に設置し、開閉センサによるドアの開閉状態の変化パターンにより、システムの警戒モードを変化させることができる。
【発明の効果】
【００１８】
以上のとおり、本発明によると、施錠装置の施錠状態が予め設定された条件に従って変化したときに警戒モードに遷移させることで、利用者の外出時に警戒モード遷移への遅延を行なうことなく、高確率で利用者の意図通りにシステムを警戒モードに遷移させることができる。
【発明を実施するための最良の形態】
【００１９】
図１は本発明に係るホームセキュリティ機能を有するホームネットワークシステムの構成例を示した図である。このシステムは、制御手段として機能するホームコントローラ１が、宅内の各ホームネット機器を無線接続によってコントロールしている。また、玄関ドア２に設置した施錠センサ３がドアの施錠装置（鍵）の施錠状態をコントローラ１に通知する。玄関ドア２には開閉センサ４も設置され、コントローラ１にドアの開閉状態を通知する。施錠センサ３や開閉センサ４は、家宅内の出入口の状態を監視する状態監視センサとして機能する。ここで、家宅とは、家屋のみならず、これが建てられた敷地内も含む。
【００２０】
本セキュリティシステムとしては、人感センサ５や窓６に設置された窓開閉センサ７などの異常検知センサが設置されており、利用者はこれらの設定を設定用PC９からコントローラ１にネットワークを介してアクセスして行なうことができる。
【００２１】
基本的な動作は、警戒モードにおいて、人感センサ５や開閉センサ４、窓開閉センサ７等の異常検知センサによって、開状態に遷移するなどの異常を検知すると、コントローラ１は、警報及び／又は通報を行い、警報機８から警報を発し、また、インターネット１０を経由して警備会社等１１の外部へ電子メールで通知する。
【００２２】
コントローラ１には、モードボタン１２があり、モードボタン１２を押すことにより、システム全体の警戒モードを変更することができる。すなわち、モードボタン１２は、異常検出センサからの検出機能を有効とする警戒モードと、検出機能を無効とする警戒解除モードとの設定を指示するモード設定手段として機能する。
【００２３】
ここで、利用者が宅内のコントローラ１のモードボタン１２を押下し、システムを警戒モードにしたとき、即座に警戒モードに遷移してしまうと、人感センサ５やドア開閉センサ４からの通知をコントローラ１が異常と認識してしまい、警報を発する結果となる。通常、このような事態を避けるため、モードボタン１２が押下されても、暫くの間（所定時間）は警戒モードに遷移せず、利用者が外出する十分な時間後に警戒モードに遷移するようにしている。
【００２４】
本発明においては、図２で示すように、夫々警戒モードへの遷移方法がモードボタン１２を押下げてから所定時間経過後に遷移するのではなく、他の方法により警戒モードに遷移するようにしている。基本的には、ホームコントローラ１のモードボタン１２が「警戒解除」に設定されているときは、施錠センサ３の状態の如何に関わらず、システムは警戒解除モードとなる。
【００２５】
ホームコントローラ１のモードボタン１２が「警戒」に設定されているときは、施錠センサ３（施錠状態通知手段を有する鍵）の施錠状態が開状態から施錠状態に遷移したとき、システムを警戒モードに遷移させる。これは、利用者が外出するためにドア２の外から施錠装置（鍵）をかけることを想定している。
【００２６】
もし、利用者が宅内にあって、ドア２の鍵が施錠状態にあっても、外出の際に必ず鍵を開状態にするため、コントローラ１が警戒モードで尚且つ施錠装置（鍵）が開状態から施錠状態に遷移したということは、１００％に近い確率でシステムの警戒モードが要求されていると判断することができ、しかも利用者は既に家を出ていると判断することができるからである。
【００２７】
ホームコントローラ１のモードボタン１２が「警戒」に設定されているとき、施錠センサ（施錠状態通知手段を有する鍵）の施錠状態が、施錠状態から開状態に遷移したときは、予め設定した所定時間だけ（図２では5分）、システムの警戒モードを警戒解除モードに遷移させる。
【００２８】
もし、所定時間内にホームコントローラ１のモードボタン１２が警戒解除にされなければ、システムは再び警戒モードに遷移する。これは、利用者が外出先から帰宅した時を想定している。利用者が帰宅して、施錠センサ３が施錠状態から開状態に遷移したことだけで、システムの警戒モードを解除してしまうことなく、あくまでホームコントローラ１のモードボタン１２の状態が優先される。
【００２９】
しかし、利用者がホームコントローラ１のモードボタン１２を操作するまでの間は、警戒モードが解除されている必要があるため、所定時間だけモードを解除している。
【００３０】
以上のように、ホームコントローラ１のモード状態と、施錠センサ３の状態遷移との組み合わせからシステムの警戒・警戒解除のモード設定を決定することにより、外出時のあわただしさを削減し、ホームセキュリティシステムの利便性を高めることができる。
【００３１】
以下、同様の概念に基づいた実施の形態を説明する。図３は図１の開閉センサ４のみでシステムの警戒モード遷移を行なう条件を示したものである。ホームコントローラ１のモードボタン１２が「警戒解除」にセットされている時は、開閉センサ４の状態変化はシステムに影響を与えない。
【００３２】
ホームコントローラ１のモードボタン１２が「警戒」にセットされている時、ドア２の開閉センサ４が、利用者が予め取り決めたパターンで開閉を繰り返した場合、システムが警戒モードに遷移する。図３の例では2秒間の間に開閉センサ４が「開」→「閉」→「開」→「閉」となった場合、つまり2回開閉を繰り返した場合、システムが警戒モードに遷移する。
【００３３】
この開閉パターンは設定用PC９で利用者がコントローラ１にアクセスし、指示に従って予め設定しておくパターンであり、どのようなパターンとするかは利用者の選択に任せることができる。この例では、利用者はホームコントローラ１のモードボタン１２を「警戒」にセットした後、実際に外出する時に、ドア２の外からドア２をもう一度開いて閉める、と言う動作を行なうことで、システム全体を警戒モードに遷移させることができる。
【００３４】
同様に、コントローラ１のモードボタン１２が「警戒」にセットされており、開閉センサ４が予め取り決めた第2のパターンで開閉した時、システムは所定の時間（図３では5分）警戒解除モードに遷移する。図３の例では、玄関ドア２を開けて中に入り、ドアを閉めると言う行為が、システムの警戒モードを警戒解除モードに遷移させ、その後5分間の間にコントローラ１のモードボタン１２が「警戒解除」にセットされなければ、再び警戒モードに遷移するようになっている。
【００３５】
以上のように、施錠センサ３だけでなく、開閉センサ４を用いても同様のシステム警戒モード遷移を行なうことができる。
【００３６】
図４は２つの開閉センサ４，１６の変化によりシステム警戒モードを遷移させるための基本的な構成例を示したものである。図４では、門扉１３と玄関ドア２に夫々門扉開閉センサ１６と玄関ドア開閉センサ４が設置され、コントローラ１が管理している。図５にこのような構成の警戒モード遷移条件を示す。
【００３７】
前例と同様、コントローラ１のモードボタン１２が「警戒解除」に設定されている時、門扉１３、玄関ドア２のどちらのセンサ４，１６もシステムの警戒モードに影響を与えない。コントローラ１のモードボタン１２が「警戒」に設定されている時、玄関ドア２が開閉して所定時間後（図５では１分以内）に門扉１３が１回開閉すると、システムが警戒モードに遷移する。さらに、門扉１３が開閉後に１分以内に玄関ドア２の開閉が行なわれると、５分間の警戒解除モードとなる。
【００３８】
この例では、門扉１３と玄関ドア２の開閉の関係で、警戒モード遷移のパターンが取り決められているが、玄関ドア２と宅内の玄関に通じるドアの開閉センサ（不図示）でも同様のことが行なえる。但し、警戒モード遷移のためのセンサ開閉パターンは門扉１３と玄関ドア２のものとは異なることは明らかである。
【００３９】
図６は２連式施錠装置（鍵）の場合のシステム構成例である。この場合も同様に、第１の施錠装置１９ａと第２の施錠装置１９ｂの施錠・開錠遷移の組み合わせにより、システム全体の警戒モードの遷移条件を作成することができる。
【００４０】
例えば、第１の施錠装置１９ａおよび第２の施錠装置１９ｂが開錠状態から施錠状態に変化したとき、警戒モードに変化し、第１の施錠装置１９ａが施錠状態から開錠状態へ、次に第２の施錠装置１９ｂが施錠状態から開錠状態へ変化したとき、警戒解除モードに遷移する等の条件を作成することができる。コントローラ１では、その施錠・開錠状態を施錠センサ２０，２１から入力して、予め設定されたパターンに沿って警戒モード、あるいは警戒解除モードへ遷移することができる。
【００４１】
なお、本発明は、上記実施形態に限定されるものではなく、本発明の範囲内で多くの修正・変更を加えることができるのは勿論である。例えば、上記ホームセキュリティシステムとして戸建住宅を例に説明したが、集合住宅内でも同様に本発明を適用することができる。
【図面の簡単な説明】
【００４２】
【図１】本発明に係るホームセキュリティシステムの構成図
【図２】本システムの標準的な警戒モード遷移条件を示す図
【図３】本システムの開閉センサによる警戒モード遷移条件を示す図
【図４】２つ以上のドア開閉センサがある場合のシステムの構成図
【図５】２つ以上の開閉センサがある場合のシステムの警戒モード遷移条件を示す図
【図６】２連式鍵の各鍵に施錠センサがある場合のシステム構成図
【符号の説明】
【００４３】
１    ホームコントローラ
２    玄関ドア
３    施錠センサ
４    開閉センサ
５    人感センサ
６    窓
７    窓開閉センサ
８    警報機
９    設定用PC
１０    インターネット
１１    警備会社等
１２    モードボタン
１３    門扉
１６    門扉開閉センサ
２０    第１の施錠センサ
２１    第２の施錠センサ
【図１】
2008065746.tif 000003
【図２】
2008065746.tif 000004
【図３】
2008065746.tif 000005
【図４】
2008065746.tif 000006
【図５】
2008065746.tif 000007
【図６】
2008065746.tif 000008